(57)【特許請求の範囲】
【請求項１】
コークス炉への装炭中に装入口から噴出するガスを捕集するため昇降可能に設けた集塵フードに点火バーナを備え、前記集塵フードに連通する集塵ダクトに湿式除塵器およびガス昇圧ファンを備えたコークス炉装炭車の車上集塵装置において、前記湿式除塵器の入側における集塵ダクトに遮断弁を配設すると共に、この遮断弁の上流側における集塵ダクトから分岐された放散ダクトに放散弁を配設する一方、前記湿式除塵器に大気を導入する希釈ダクトに希釈弁を配設し、集塵ガスの異常時に前記遮断弁を作動させると共に、放散弁および希釈弁を開に作動して集塵ガスの爆発を未然に防止するように構成したことを特徴とするコークス炉装炭車の車上集塵装置。
【発明の詳細な説明】
【０００１】
【産業上の利用分野】
本発明は、コークス炉の炭化室に石炭を装入する際、装入口から大気に噴出するガスを装炭車に設けられた集塵フードで集塵して処理するコークス炉装炭車の車上集塵装置に関するものである。
【０００２】
【従来の技術】
一般に、コークス炉に配列された炭化室に石炭を装入する場合、図２に示すように炭化室１の長手方向頂部に設けた複数の装入口２２に対応して装炭車２０に搭載された装炭ホッパ５内に貯めてある石炭をフィーダ２１を用いて切り出し、テレスコープ式に伸縮する装入シュート２を装入口２２に当接して炭化室１内に装入する。
【０００３】
炭化室１内は高温に加熱されているため、炭化室１内に装入された石炭は急激に加熱されて可燃性ガスを発生し、装入口２２から大気中にガスおよび粉塵が放出される。このような装入口２２への装炭時に噴出するガスおよび粉塵を集塵するため、装炭車２０に昇降自在な集塵フード３を、装入口２２に当接した装入シュート２の周囲に降下して噴出ガスを捕集するようになっている。
【０００４】
このようにして捕集したガスは、可燃分を含有しているので集塵フード３の箇所に配設した点火バーナ４に空気ファン７から燃焼用空気を供給すると共に、ＬＰＧ  ボンベ８からＬＰＧ  ガスを供給して点火し、該ガス中の可燃分を燃焼して不活性な状態にすることによって下流側で可燃性ガスが爆発するのを防止している。
各集塵フード３内で燃焼したガスは集塵ダクト６を経由してまず湿式除塵器１２に導かれる。湿式除塵器１２内には散水ノズル１１が設置してあり、湿式除塵器１２内に導かれたガスは、散水タンク９から散水ポンプ１０を介して供給される水を散水ノズル１１から散水することによってガス中の粉塵が取り除かれる。
【０００５】
湿式除塵器１２で除塵されたガスは、次に遠心分離器１３に導かれ、ここでガス中の水滴などが遠心分離された後、ガス昇圧ファン１４を経由し、装炭車２０に配設してある接続・離脱自在な連結管１５を介して固定して設置してある集合集塵ダクト１６に導かれる。この集合集塵ダクト１６から地上に設置した大型集塵装置（図示せず）に導かれ、ここでさらに細かい粉塵が集塵処理される（たとえば特開平４−３４６８１０号公報参照）。
【０００６】
【発明が解決しようとする課題】
前記図２に示す従来技術においては、装炭車２０に搭載した車上集塵装置２５内で集塵ガスの可燃成分（Ｈ２  、ＣＯ、ＣＨ４  ）および粉塵による爆発の危険性がある。なぜならば集塵フード３で捕集した集塵ガスに点火バーナ４を用いて該ガスを点火させてもすべての可燃分を燃焼できないこともあって、下記の異常があった場合には、爆発の確率が上がることになる。万一大規模な爆発が発生すると装置を破壊するため被害が大きくなるばかりでなく、その復旧工事の増加ならびにその間は集塵できないため、公害問題が顕在化するという問題があった。
【０００７】
（１）点火バーナ４に燃焼用空気を供給する空気ファン７が装炭中に故障し、捕集したガスが点火バーナ４で点火されなかった場合、大量の可燃性ガスが下流に流れて爆発する。
（２）湿式除塵器12に水を供給する散水ポンプ10が装炭中に故障し、散水ノズル11から散水されなかった場合、ガスの温度が上昇し、火の粉を消火できないので湿式除塵器12や遠心分離器13等内で爆発する。
【０００８】
（３）ガス昇圧ファン１４が装炭中に故障により停止した場合、可燃性ガスが湿式除塵器１２等の内部に滞留して爆発する。
本発明は、前述のような装炭車２０に搭載された車上集塵装置２５の異常による爆発の危険を防止することができるコークス炉装炭車２０の車上集塵装置を提供することを目的とするものである。
【０００９】
【課題を解決するための手段】
前記目的を達成するための本発明は、コークス炉への装炭中に装入口から噴出するガスを捕集するため昇降可能に設けた集塵フードに点火バーナを備え、前記集塵フードに連通する集塵ダクトに湿式除塵器およびガス昇圧ファンを備えたコークス炉装炭車の車上集塵装置において、前記湿式除塵器の入側における集塵ダクトに遮断弁を配設すると共に、この遮断弁の上流側における集塵ダクトから分岐された放散ダクトに放散弁を配設する一方、前記湿式除塵器に大気を導入する希釈ダクトに希釈弁を配設し、集塵ガスの異常時に前記遮断弁を閉に作動させると共に、放散弁および希釈弁を開に作動して集塵ガスの爆発を未然に防止するように構成したことを特徴とするコークス炉装炭車の車上集塵装置である。
【００１０】
【作用】
本発明では、装炭車に搭載した車上集塵装置が正常な場合には、遮断弁−全開、放散弁−全閉、希釈弁−全閉として前述従来装置と同様のガス流れによって集塵が達成できる。
一方、車上集塵装置が異常停止した場合、その異常停止信号を受け、これによって放散弁を閉から開に作動し爆発性ガスを放散ダクトから大気中に逃し、遮断弁を開から閉に作動して温式集塵器への爆発性ガスを遮断すると共に、希釈弁を閉から開にして、それまで湿式除塵器以降に滞留していた爆発性ガスを希釈ダクトから導入される空気によって希釈することによって湿式除塵器以降での爆発を防止するものである。
【００１１】
【実施例】
以下、本発明の実施例を図１の基いて説明する。図１において図２に示す従来装置と同じものは、同一符号を示して説明が重複するのを省略する。
図１に示すように本発明では、装炭車２０に搭載された湿式除塵器１２の入側における集塵ダクト６に遮断弁１７を配設すると共に、この遮断弁１７の上流側における集塵ダクト６から分岐させた放散ダクト２３に放散弁１８を配設する。また湿式除塵器１２に大気を導入する希釈ダクト２４に希釈弁１９を配設するものである。
【００１２】
装炭車２０に搭載した車上集塵装置２５が正常な場合には、装炭ホッパ５から装入口２２を介して炭化室１に石炭を装入中には、遮断弁１７は開、放散弁１８および希釈弁１９は閉となっている。したがって装入口２２から噴出する可燃性ガスは、集塵フード３で捕集された後、点火バーナ４により点火され燃焼したガスは、従来と同様に湿式除塵器１２、遠心分離器１３、ガス昇圧ファン１４および連結管１５を介して地上側の集合集塵ダクト１６に導かれる。
【００１３】
本発明では、たとえば下記の場合に車上集塵装置２５が異常であると判定し、これに基いて遮断弁１７、放散弁１８および希釈弁１９を安全サイド側に作動するのである。
（１）空気ファン７の異常停止
空気ファン７から点火バーナ４に燃焼用空気が供給されないため点火されず、ＬＰＧ  のみが噴射されると共に捕集したガスが燃焼しないため大量の可燃性ガスが下流側に流れ、湿式除塵器１２等で爆発する確率が大。
【００１４】
（２）散水ポンプ１０の異常停止
散水ポンプ１０から水が供給されないため散水ノズル１１から散水されず、湿式除塵器１２内のガス温度が上昇し、火の粉が消火されないので湿式除塵器１２内で爆発する確率が大。
（３）ガス昇圧ファン１４の異常停止
ガス昇圧ファン１４によりガスが排出されないので、湿式除塵器１２内に可燃性ガスが滞留するため爆発する確率が大。
【００１５】
なお、本発明では必要に応じ前記以外にも異常に判定基準を新たに追加することも可能である。
前記のように空気ファン７、散水ポンプ１０またはガス昇圧ファン１４が異常停止したら、その停止信号により直ちに放散弁１８を閉から開に作動して、爆発の危険がある可燃性ガスを放散ダクト２３から大気中に放散する。そして遮断弁１７を開から閉に作動して、湿式除塵器１２に可燃性ガスが流入するのを遮断する。それと同時に希釈弁１９を閉から開に作動し、希釈ダクト２４から空気を導入することによって、それまでに湿式除塵器１２以降に滞留していた可燃性ガスを希釈してその爆発を防止する。
【００１６】
【発明の効果】
以上説明したように本発明によれば、装炭車上に搭載した車上集塵装置に異常が発生したら、放散弁を開放して可燃性ガスを大気中に放出すると共に、遮断弁を閉止して可燃性ガスが湿式除塵器に流入するのを遮断する。それと共に希釈弁を開いて空気を湿式除塵器に導入して滞留している可燃性ガスを希釈するので、車上集塵装置内で可燃性の集塵ガスが爆発するのを確実に防止することができ、その効果は多大である。
【図面の簡単な説明】
【図１】本発明に係る装入車に搭載された車上集塵装置を示す機略配置図である。
【図２】従来例に係る装入車に搭載された車上集塵装置を示す機略配置図である。
【符号の説明】
１  炭化室
２  装入シュート
３  集塵フード
４  点火バーナ
５  装炭ホッパ
６  集塵ダクト
７  空気ファン
８  ＬＰＧ  ボンベ
９  散水タンク
１０  散水ポンプ
１１  散水ノズル
１２  湿式除塵器
１３  遠心分離器
１４  ガス昇圧ファン
１５  連結管
１６  集合集塵ダクト
１７  遮断弁
１８  放散弁
１９  希釈弁
２０  装炭車
２１  フィーダ
２２  装入口
２３  放散ダクト
２４  希釈ダクト
２５  車上集塵装置
【図１】
0003551486.tif 000002
【図２】
0003551486.tif 000003